(57)【特許請求の範囲】
【請求項１】
外部から原水が供給される供給管と、
前記原水に基づく対象水に対して微細気泡を含有させて微細気泡水を生成する微細気泡
生成部と、
前記微細気泡水を貯留する貯留タンクと、
前記貯留タンクにおける現在の貯留水位を監視し、設定された準備水位まで前記貯留水
位が低下すると、設定された満水位まで微細気泡水を生成するよう前記微細気泡生成部を
制御する制御部とを有し、
前記制御部は、
前記対象水の量と原水の量とを調整することにより、前記微細気泡生成部を通過させる回数である循環数を所定の通常数に設定して微細気泡水を生成し、
前記貯留水位が危険水位を下回ると、前記循環数を前記通常数より少ない危険数に変更
する
ことを特徴とする微細気泡水供給システム。
【請求項２】
前記制御部は、
前記貯留水位が前記危険水位より小さい枯渇水位を下回ると、前記循環数を前記危険数
よりも少ない枯渇数に変更する
ことを特徴とする請求項１に記載の微細気泡水供給システム。
【請求項３】
前記制御部は、
時刻に応じて前記準備水位及び満水位のうち少なくともいずれか一方を変更する
ことを特徴とする請求項１又は請求項２に記載の微細気泡水供給システム。
【請求項４】
前記制御部は、
曜日ごとに前記準備水位及び満水位のうち少なくともいずれか一方を変更する
ことを特徴とする請求項１〜請求項３のいずれかに記載の微細気泡水供給システム。
【請求項５】
前記貯留タンクは、
水を殺菌する殺菌部を有する
ことを特徴とする請求項１〜請求項４のいずれかに記載の微細気泡水供給システム。
【請求項６】
前記殺菌部は、
ＵＶ（UltraViolet）ランプである
ことを特徴とする請求項５に記載の微細気泡水供給システム。
【請求項７】
前記殺菌部は、
光触媒を利用して殺菌する光触媒材であり、
前記貯留タンクは、
太陽光を取り入れる光取入部を有する
ことを特徴とする請求項５に記載の微細気泡水供給システム。
【請求項８】
前記制御部は、
前記微細気泡水の使用量を監視し、
使用量に応じて前記準備水位及び満水位のうち少なくともいずれか一方を変更する
ことを特徴とする請求項４に記載の微細気泡水供給システム。
【請求項９】
前記微細気泡生成部は、
前記原水を通過させることにより前記微細気泡水を生成するナノバブル発生器と、原水が供給されると共に前記ナノバブル発生器を通過した微細気泡水が貯留される循環タンクとを有し、
前記制御部は、
前記循環タンクに供給される原水の量と排出される微細気泡水の量を調整することによ
り、前記ナノバブル発生器を通過させる回数である循環数を所定の通常数に設定して微細
気泡水を生成する
ことを特徴とする請求項１〜請求項８のいずれかに記載の微細気泡水供給システム。
【請求項１０】
前記貯留タンクは、
排水管に接続されており、
前記制御部は、
使用量が少ない場合には、前記貯留タンク内の前記微細気泡水を排水し、
新しく前記微細気泡水を生成する
ことを特徴とする請求項１〜請求項９のいずれかに記載の微細気泡水供給システム。
【発明の詳細な説明】
【技術分野】
【０００１】
本発明は、例えば微細気泡を含有する微細気泡水を家庭や工場などに供給する微細気泡水供給システム及び微細気泡水建物システム関するものである。
【背景技術】
【０００２】
従来、微細気泡生成装置としては、気体を混合した液体に高圧力をかけてから開放したり、気体を混合した液体を高速旋回させることにより、液体に気泡を含有させるようになされた技術が広く知られている（例えば特許文献１及び非特許文献１参照）。
【０００３】
このような微細気泡生成装置で生成された微細気泡水は、通常の水と比較して洗浄力が高いことから、洗浄水として広く使用されている。また、体が温まる効果があるため、入浴施設にも導入されている。また、空気を多く含むため飲むことによって体内に酸素を取り込むことができ、飲み水にも適している。
【先行技術文献】
【特許文献】
【０００４】
【特許文献１】特許第４５６３４９６号
【非特許文献】
【０００５】
【非特許文献１】https://staff.aist.go.jp/m.taka/takahashi2.pdf
【発明の概要】
【発明が解決しようとする課題】
【０００６】
上述した効果から、かかる構成の微細気泡生成装置を様々なシチュエーションで使用したいという要望がある。しかしながら、微細気泡水の使用量や使用時間などは場所や用途などのシチュエーションによって大きく相違している。
【０００７】
本発明はこのような問題を解決するためになされたもので、その目的は、シチュエーションに合わせて微細気泡水を提供する微細気泡水供給システム及び微細気泡水建物システムを提供するものである。
【課題を解決するための手段】
【０００８】
かかる課題を解決するため、本発明の微細気泡水供給システムでは、
外部から原水が供給される供給管と、
前記原水に基づく対象水に対して微細気泡を含有させて微細気泡水を生成する微細気泡生成部と、
前記微細気泡水を貯留する貯留タンクと、
前記貯留タンクにおける現在の貯留水位を監視し、設定された準備水位まで前記貯留水位が低下すると、設定された満水位まで微細気泡水を生成するよう前記微細気泡生成部を制御する制御部とを有し、
前記制御部は、
前記対象水の量と原水の量とを調整することにより、前記ナノバブル発生器を通過させる回数である循環数を所定の通常数に設定して微細気泡水を生成し、
前記貯留水位が危険水位を下回ると、前記循環数を前記通常数より少ない危険数に変更することを特徴とする。
【０００９】
また、本発明の微細気泡水建物システムでは、
外部から原水が供給される供給管と、
前記原水に基づく対象水に対して微細気泡を含有させて微細気泡水を生成する微細気泡生成部と、
前記微細気泡水を貯留する貯留タンクと、
前記貯留タンクにおける現在の貯留水位を監視し、設定された準備水位まで前記貯留水位が低下すると前記微細気泡生成部による微細気泡水の生成を開始するように制御する制御部とを有し、
前記制御部は、
時刻に応じて前記準備水位を変更する
ことを特徴とする。
【発明の効果】
【００１０】
本発明は、シチュエーションに合わせて微細気泡水を提供する微細気泡水供給システム及び微細気泡水建物システムを実現できる。
【図面の簡単な説明】
【００１１】
【図１】第１の実施の形態におけるナノバブル水供給システムの構成を示す略線図である。
【図２】時間帯と準備水位及び満水位の設定の説明に供する略線図である。
【図３】第２の実施の形態におけるナノバブル水供給システムの構成を示す略線図である。
【００１２】
次に本発明を実施するための形態について図面を参照して説明する。
【００１３】
＜第１の実施の形態＞
[１−１．気泡ハウスシステムの構成]
図１に示す１は、全体として気泡ハウスシステムを示している。気泡ハウスシステム１では、一般家庭の家２に対して外部から水道水が供給される水道管２８（いわゆる引込管）に対して、ナノバブル水供給システム４が接続されている。従って、家２には、水道水を原水とするナノバブル水が、水道使用設備１０（風呂１０Ａ、トイレ１０Ｂ、キッチン１０Ｃ、洗面台１０Ｄ及び洗濯機１０Ｅなど）へ供給される。なお、図１では、水道の供給管７を太線の実線で、水道の排水管８を太線の破線で示している。
【００１４】
ナノバブル水供給システム４では、ナノバブル生成装置２０によってナノバブル水を生成し、タンク３０に貯留すると共に、水道使用設備１０からのナノバブル水の要求に応じて、ナノバブル水を供給する。なおナノバブル水とは、ナノオーダー（１〜１０００ｎｍ）サイズの微細気泡を多く含有する水を意味し、微細気泡水及びファインバブル水と同義である。
【００１５】
ナノバブル生成装置２０は、図示しないＭＰＵ（Micro Processing Unit）、ＲＯＭ（Read Only Memory）及びＲＡＭ（Random Access Memory）から構成される制御部２１がナノバブル生成装置２０の全体を統括的に制御するようになされている。
【００１６】
制御部２１は、タンク３０に取り付けられた水位センサ３１を監視し、タンク３０におけるナノバブル水の実際の水位（以下、これを貯留水位と呼ぶ）が設定された準備水位を下回ったことを認識すると、ナノバブル水の生成を開始する。なお、水位センサ３１は、有線又は無線で制御部２１に接続されている。
【００１７】
具体的に、制御部２１は、開閉弁２６を制御して循環タンク２３に原水である水道水を供給する。同時に、制御部２１は、ポンプ２５を制御して循環タンク２３からナノバブル発生器２２に水道水とナノバブル水とが混合された混合水を供給する。以下、ナノバブル発生器２２に対して供給される水を対象水と呼ぶ。対象水は、原水であってもナノバブル水であっても良い。
【００１８】
循環タンク２３は、容量から溢れた対象水をナノバブル水として接続管２４を介してタンク３０に供給する。このとき、制御部２１は、開閉弁２６を介して供給される水道水の量をコントロールすることにより、ナノバブル発生器２２に通過される対象水の通過回数である循環数をコントロールしている。
【００１９】
すなわち、一定時間にポンプ２５が吸い上げる対象水の数量が「１０」であり、同じ時間に開閉弁２６を介して供給される水道水の量が「１」であった場合、タンク３０に供給されるナノバブル水は、平均で「１０」回ナノバブル発生器２２を通過することになる。すなわち、制御部２１は、通常モードにおいて、循環数を例えば通常数である「１０」に設定している。
【００２０】
なお、ナノバブル発生器２２としては制限はなく、高速旋回方式又は圧力解放方式、これらを組み合わせた構成のものなどが適用可能である。例えばナノバブル発生器２２の構成としては、例えば特許文献１及び特許文献２（特願２０１５−３４６２８号）、非特許文献１などに記載されているものを好適に使用することができる。
【００２１】
タンク３０は、供給されるナノバブル水を貯留する。タンク３０には、ＵＶ（UltraViolet）ランプ３２が設置されており、塩素濃度が低下したナノバブル水における細菌の繁殖を抑制する。
【００２２】
制御部２１は、水位センサ３１を監視し、タンク３０におけるナノバブル水の貯留水位が設定された満水位に到達したことを認識すると、ポンプ２５を停止すると共に開閉弁２６を閉め、ナノバブル水の生成を停止する。
【００２３】
ところで、一般家庭においては、水の使用量が一定ではなく、時間帯によって大きく変動する。例えば、図２に示すように、共働き家庭では、出勤や登校までの第１時間帯Ｔ１（５：００〜９：００）には、洗顔、朝食、シャワーなどによりある程度の量の水を使用する。日中である第２時間帯Ｔ２（９；００〜１６：００）は、誰も在宅しないため殆ど水を使用しない。夕方の第３時間帯Ｔ３（１６：００〜１９：００）は、食事準備のため水を使用する。そして夜の第４時間帯Ｔ４（１９：００〜２４：００）は、夕食、風呂、洗濯など各所で水を大量に使用する。そして深夜の第５時間帯（図示せず、２４：００〜５：００）には、殆ど水が使用されない。
【００２４】
そこで、気泡ハウスシステム１の制御部２１では、複数の時間帯を設定し、当該時間帯ごとに満水位及び準備水位を変更するようにしている。例えば、第１、第２及び第５時間帯Ｔ１、Ｔ２、Ｔ５では、満水位が１００リットル、準備水位が５０リットルに設定されている。第３時間帯Ｔ３では、次の第４時間帯Ｔ４に備えて、満水位が最大量の２００リットルに設定される。一方、第４時間帯Ｔ４では、次の第５時間帯Ｔ５で水が殆ど使用されないことから、満水位は第３時間帯Ｔ３より低い１５０リットルに抑制される。
【００２５】
これにより、気泡ハウスシステム１では、必要になる水の量に併せて予めナノバブル水を生成しておくことができると共に、水の使用量が少ないときにはナノバブル水の貯水量を抑制できるため、常にフレッシュなナノバブル水を提供することができる。
【００２６】
なお、この満水位及び準備水位は、曜日に応じて複数設定することが可能である。例えば、平日用と、日・祝日用とで設定を変更したり、複数の満水位及び準備水位を記憶させておき、選択して設定するようにすることもできる。時間帯の割り振り（時間帯の開始及び終了時刻）や数を任意に設定できるようにしても良い。
【００２７】
かかる構成に加えて、気泡ハウスシステム１では、貯留水位が危険水位又は枯渇水位を下回った場合に、ナノバブル発生器２２の循環数を変更するようにしている。例えば、制御部２１は、貯留水位が危険水位である２５リットルを下回ると、危険モードに遷移し、循環数を危険数である「５」に変更する。また、制御部２１は、貯留水位が枯渇水位である１０リットルを下回ると、枯渇モードに遷移し、循環数を枯渇数である「１」に変更する。
【００２８】
すなわち、貯留水位が１０〜２５リットルであるとき、制御部２１は、循環数を「５」に設定し、貯留水位が０〜１０リットルであるとき、制御部２１は、循環数を「１」に設定する。なお、枯渇モードにおいて、制御部２１は、開閉弁２６の調整により、ポンプ３３を介して家２に供給される時間当りの水量よりも大きな速度でタンク３０にナノバブル水を供給するように循環数を設定する。
【００２９】
このように、ナノバブル水供給システム４では、タンク３０の水量に応じてナノバブル水の生成速度を変更することにより、タンク３０内を枯渇させることを防止でき、何らかの事情により水の使用量が異常に多い事態が生じた場合であっても、家２に対して確実に水を供給することができる。
【００３０】
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【００３１】
微細気泡水供給システム（ナノバブル水供給システム４）では、外部から原水が供給される供給管（水道管２８）と、
前記原水に基づく対象水に対して微細気泡を含有させて微細気泡水を生成する微細気泡生成部（ナノバブル発生器２２）と、
前記微細気泡水を貯留する貯留タンク（タンク３０）と、
前記貯留タンクにおける現在の貯留水位を監視し、設定された準備水位まで前記貯留水位が低下すると、設定された満水位まで微細気泡水を生成するよう前記微細気泡生成部を制御する制御部（制御部２１）とを有し、
前記制御部は、
前記対象水の量と原水の量とを調整することにより、前記ナノバブル発生器を通過させる回数である循環数を所定の通常数に設定して微細気泡水を生成し、
前記貯留水位が危険水位を下回ると、前記循環数を前記通常数より少ない危険数に変更する。
【００３２】
これにより、微細気泡水供給システムでは、微細気泡水が不足する事態を回避できるため、使用量の相違する様々なシチュエーションであっても安心して使用することができ、シチュエーションに合わせた微細気泡水を提供することができる。
【００３３】
微細気泡水供給システム（ナノバブル水供給システム４）では、原水に基づく対象水に対して微細気泡を含有させて微細気泡水を生成する微細気泡生成部（ナノバブル発生器２２）と、
前記微細気泡水を貯留する貯留タンク（タンク３０）と、
前記貯留タンクにおける現在の貯留水位を監視し、設定された満水位まで微細気泡水を生成するよう前記微細気泡生成部を制御する制御部（制御部２１）とを有し、
前記制御部は、
時刻に応じて前記準備水位及び満水位のうち少なくともいずれか一方を変更することを特徴とする。
【００３４】
これにより、微細気泡水供給システムは、水の使用量の変動が激しい家庭などのシチュエーションにおいて、使用量に応じた量の微細気泡水を過不足が極力生じないように準備できるため、一般家庭のような使用量の大きいシチュエーションでも微細気泡水を提供することが可能となる。
【００３５】
なお、一日を複数の時間帯に分割し、時間帯ごとに準備水位及び満水位を設定することも可能である。これにより、細やかな設定ができるため、微細気泡水を過不足が極力生じないように準備できる。
【００３６】
前記制御部は、
曜日ごとに前記準備水位及び満水位のうち少なくともいずれか一方を変更することを特徴とする。
【００３７】
これにより、微細気泡水供給システムでは、曜日によって生じる生活サイクルの相違に合わせて微細気泡水を過不足が極力生じないように準備できる。
【００３８】
前記貯留タンクは、
水を殺菌する殺菌部を有することを特徴とする。
【００３９】
これにより、微細気泡水供給システムでは、貯留タンク内における細菌の増殖を抑制することができる。
【００４０】
前記殺菌部は、
ＵＶ（UltraViolet）ランプであることを特徴とする。
【００４１】
これにより、微細気泡水供給システムでは、簡易な構成で貯留タンク内における細菌の増殖を抑制することができる。
【００４２】
また、本発明の微細気泡水供給システム（ナノバブル水供給システム４）では、外部から原水を供給する供給管（水道管２８）と、
原水に基づく対象水対して微細気泡を含有させて微細気泡水を生成する微細気泡生成部（ナノバブル発生器２２）と、
前記微細気泡水を貯留する貯留タンク（タンク３０）と、
前記貯留タンクにおける現在の貯留水位を監視し、設定された満水位まで微細気泡水を生成するよう前記微細気泡生成部を制御する制御部（制御部２１）とを有し、
前記微細気泡生成部は、
前記原水を通過させることにより前記微細気泡水を生成するナノバブル発生器と、原水が供給されると共に前記ナノバブル発生器を通過した微細気泡水が貯留される循環タンクとを有し、
前記制御部は、
前記循環タンクに供給される原水と排出される微細気泡水の量を調整することにより、前記ナノバブル発生器を通過させる回数を所定の通常数に設定して微細気泡水を生成し、
前記貯留水位が危険水位を下回ると、前記ナノバブル発生器を通過させる回数を前記通常回数より少ない危険数に変更することを特徴とする。
【００４３】
これにより、微細気泡水供給システムでは、微細気泡水を枯渇させてしまうことなく、安定供給することができる。
【００４４】
前記制御部は、
前記貯留水位が前記危険水位より小さい枯渇水位を下回ると、前記ナノバブル発生器を通過させる回数である循環数を前記危険数よりも少ない枯渇数に変更することを特徴とする。
【００４５】
これにより、微細気泡水供給システムでは、水量が少ないときに２段階で循環数を変更できるため、できるだけ微細気泡の多い微細気泡水を供給しつつ微細気泡水を枯渇させてしまうことを防止できる。
【００４６】
なお、このときに設定される枯渇数は、本来供給される水道水の単位時間当りの供給量と同等又はそれ以上の微細気泡水を供給することができる循環数に設定されることが好ましい。この場合、一般家庭における引込管（水道管２８）の断面積と同等又はそれ以上の面積が開閉弁２６によって開放されることになる。例えば、開閉弁２６の開放時の最大断面積が平均的な引込管の断面積の２倍である場合、枯渇数は「２」以下に設定されることが好ましい。これにより、微細気泡水の枯渇の可能性がなく、微細気泡水を生活水として確実に安定供給することができる。
【００４７】
以上の構成によれば、微細気泡水建物システム（気泡ハウスシステム１）では、外部から原水が供給される供給管（水道管２８）と、
前記原水に基づく対象水に対して微細気泡水を生成する微細気泡生成部と、
前記微細気泡水を貯留する貯留タンクと、
前記貯留タンクにおける現在の貯留水位を監視し、設定された準備水位まで前記貯留水位が低下すると前記微細気泡生成部による微細気泡水の生成を開始するように制御する制御部とを有し、
前記制御部は、
時刻に応じて前記準備水位を変更するようにした。
【００４８】
これにより、微細気泡ハウスシステムでは、水道の使用量の変動が激しい一般家庭に微細気泡水を過不足が少ない状態で安定供給することができる。
＜第２の実施の形態＞
[２−１．気泡ハウスシステムの構成]
図３に示す第２の実施の形態では、ナノバブル水供給システム１０４が、循環タンクを有していない点と、水道水がタンク１３０に供給される点と、家１０２において、一部の設備に水道水が直接供給される点が図１〜図２を用いて上述した第１の実施の形態と相違している。なお、第２の実施の形態では、第１の実施の形態と対応する箇所に１００を附して示し、同一箇所についての説明を省略する。
【００４９】
図３に示すように、水道の引込管である水道管１４０は２つに分岐し、家１０２の屋内に引き込まれる屋内水道管１４１と、ナノバブル水供給システム１０４に引き込まれる原水の供給管としてのバブル水道管１２８として配管されている。
【００５０】
屋内水道管１４１は、キッチン１１０Ｃと洗面台１１０Ｄとに接続されており、キッチン１１０Ｃと洗面台１１０Ｄとでは、通常の水道水が供給される。
【００５１】
バブル水道管１２８は、タンク１３０に接続されており、開閉弁１２６の開閉動作に応じてナノバブル水供給システム１０４に水道水を供給する。ナノバブル水供給システム１０４に接続された供給管１０７は、風呂１１０Ａ、トイレ１１０Ｂ、洗濯機１１０Ｅに接続されており、これらの設備にはナノバブル水が供給される。なお便宜上図示しないが、開閉弁１２６、並びにポンプ１２５及び１３３は、制御部１２１によって制御されている。
【００５２】
本実施の形態のナノバブル水供給システム１０４では、制御部１２１の制御により、バブル水道管１２８を介してタンク１３０に原水である水道水が供給される。タンク１３０内の水はポンプ１２５の作用により配管１２４を介してナノバブル発生器１２２に供給される。ナノバブル発生器１２２によってナノバブルが混合されたナノバブル水は、配管１２９を介してタンク１３０に戻される。
【００５３】
上述したように、制御部１２１は、水位センサ１３１を監視し、準備水位になると満水位までナノバブル水を生成する。このとき、制御部は、間欠的に開閉弁１２６を開放するように制御することにより、ナノバブル水におけるナノバブルを極力低下させないようにする。
【００５４】
例えば、循環数を「５」に設定し、ポンプ１２５と同量の水道水がタンク１３０に供給される場合、開閉弁１２６を１秒間開放した後、開閉弁１２６を４秒間閉めることにより、理論上、タンク１３０に供給された増水分の水道水が５回に亘ってナノバブル発生器１２２に通過することになる。この１秒開けて５秒閉めるサイクルを繰り返して満水位までナノバブル水を生成することにより、タンク１３０の内部のナノバブル水のナノバブル濃度を極力低下させることなく、ナノバブル水をタンク１３０に貯めることができる。
【００５５】
また、ポンプ１２５の水の供給能力と、開閉弁１２６の開放面積との関係によって循環数を調整することも可能である。開閉弁１２６を通過する水の量をポンプ１２５の供給能力の１／５に設定することにより、循環数を５に設定することができる。
【００５６】
＜他の実施の形態＞
なお、上述実施形態では複数の時間帯ごとに準備水位及び満水位を設定することにより時刻に応じて準備水位及び満水位を変更したが、いずれか一方のみを時刻に応じて変更してもよい。例えば準備水位と満水位は一定（通常モード）に設定しておき、夕方１７：００など使用量が増える可能性が高い特定の時刻になると通常モードよりも大きい値の満水位まで微細気泡水を生成するように設定することができる。また、満水位を常にタンク容量の最大値に設定し、使用量の多い時間帯だけ準備水位が大きい値になるように変更してもよい。
【００５７】
また上述実施形態では水位センサ３１を用いることにより貯留水位が満水位になったことを認識するようにしたが、ナノバブル水の生成量から計算値として満水位になったことを認識するようにしても良い。また、水位センサ３１は必須ではなく、微細気泡水の生成量と排出量とから計算に基づいて貯留水位を監視しても良い。
【００５８】
さらに上述実施形態では循環数の例を記載しているが、循環数の値についてはタンク３０のタンク容量や水道の使用量、家族構成などに応じて適宜選択される。また危険水位や枯渇水位は必ずしも設定される必要は無い。
【００５９】
さらに上述実施形態では準備水位や満水位を時刻に応じて変更する構成について記載されているが、これらの構成については必須ではなく、準備水位や満水位を一律に設定し、危険水位や枯渇水位のみを設定しても良い。これにより、枯渇によって水が供給されなくなるといった事態を防止しつつ、たくさんナノバブルを含有する微細気泡水を供給することができる。従来、高速道路の休憩所のトイレや工場など、ナノバブル水の使用量が大きく変動するような場所に設置される業務用のナノバブル生成装置においては、枯渇を防止するためにタンクの容量を大きく設定したりナノバブルの生成量を高めたりする必要があった。本発明は、ナノバブル水の安定供給を可能にしつつ、ナノバブル生成装置としての構成を簡易にすることができるナノバブル生成装置を提供できる。
【００６０】
また上述実施形態では、ナノバブル水供給システムが一般家庭で使用される場合について説明したが、上述したようにナノバブル水供給システムは大量にナノバブル水を使用する場合を含めて種々のシチュエーションに合わせることができ、シチュエーションに応じて準備水位、満水位、危険水位、枯渇水位などを適切に設定することにより、工場や店舗など種々の場所・用途で使用することができる。
【００６１】
さらに上記実施形態では殺菌部としてUVランプを使用したが、例えば光触媒を利用して殺菌する光触媒材を用いてもよい。この場合貯留タンクは、太陽光を取り入れる光取入部を有するようにする。これにより、電気不要で殺菌を行うことができる。
【００６２】
また上記構成に加えて微細気泡水供給システムは、微細気泡水の使用量を監視し、使用量に応じて前記準備水位及び満水位のうち少なくともいずれか一方を変更するようにできる。例えば、微細気泡水供給システムの制御部は、使用状況に合わせて自動で満水位及び準備水位を変更する自動設定モードを有するようにする。具体的に、デフォルトで記憶されている複数の設定（例えばフルタイム共働き、専業主婦あり、パート主婦ありなど）の項目から一の項目を選択することにより、時間帯ごとの満水位及び準備水位が設定される。この値をデフォルトとし、使用状況に応じて満水位及び準備水位を変更する。例えば制御部２１は、水位センサを監視し、平均使用量が少ない場合には準備水位及び満水位の値を小さくする方向に設定変更する。また、危険モードや枯渇モードに遷移した場合には、準備水位及び満水位の値を大きくする方向に設定変更する。これにより、各家庭の水の使用量に応じた適切な準備水位及び満水位の設定が可能となる。
【００６３】
さらに上記構成に加えて、前記貯留タンクが排水管に接続されており、制御部は、水位センサによる貯留水位を監視し、微細気泡水の使用量が少ない場合には、前記貯留タンク内の前記微細気泡水を排水し、新しく前記微細気泡水を生成するようにしても良い。例えば、旅行や帰省などにより、極端に微細気泡水の使用量が減少した場合であっても、フレッシュな微細気泡水を提供することが可能となる。また、リセットボタンなどの操作部を準備しておき押下に応じて排水することにより、長期不使用だった後に全ての微細気泡水を入れ替えることができる。
【００６４】
さらに上述実施形態では、循環タンク２３に微細気泡水を貯留し、一定時間に亘ってナノバブル発生器２２を循環させる、いわゆるバッチ式方式で微細気泡水を生成したが、いわゆる連続式で微細気泡水を生成しても良い。また、ナノバブル生成装置２０の構成に制限はなく、例えばポンプなどを使用して任意の量のナノバブル水をタンク３０に供給しても良い
【００６５】
上述実施形態では、ポンプ３３を用いて家２へナノバブル水を供給したが、ポンプ３３は必ずしも必須ではない。例えば、ナノバブル水供給システム４又はタンク３０を高所に設置することにより、重力を使って家２へナノバブル水を供給することもできる。なお、ポンプ３３の構成としては既知の物を使用でき、ナノバブル水の単位時間当りの供給量に応じて適宜選択される。例えば20NPD04（株式会社ニクニ製）などを好適に用いることができる。ポンプ３３は、接続されるタンク３０に近い位置（例えば３０ｍ以内）に設置されることが好ましい。
【００６６】
上述実施形態では、タンク１３０に原水である水道水を供給するようにしたが、ナノバブル発生器に水道水を供給しても良い。この場合、タンクからナノバブル発生器にも対象水を供給できるように構成すると共に、水道水と循環水を切り替える切替弁を設ける。制御部は、切替時間を調整することにより、循環数を調整することができる。
【００６７】
さらに上述の実施の形態においては、微細気泡生成部としてのナノバブル発生器２２と、貯留タンクとしてのタンク３０と、制御部としての制御部２１とによって微細気泡生成装置としてのナノバブル水供給システム４を構成するようにした場合について述べた。本発明はこれに限らず、種々の構成による微細気泡生成部と、貯留タンクと、制御部とによって本発明の微細気泡生成装置を構成するようにしても良い。
【産業上の利用可能性】
【００６８】
本発明は、例えば一般家庭や職場、店舗、工場などの種々のシチュエーションにおいてナノバブル水を供給する微細気泡水建物システムを実現できる。
【符号の説明】
【００６９】
１，１０１      ：気泡ハウスシステム
２，１０２      ：家
４，１０４      ：ナノバブル水供給システム
７，１０７      ：供給管
８，１０８      ：排水管
１０    ：水道使用設備
２０    ：ナノバブル生成装置
２１，１２１    ：制御部
２２，１２２    ：ナノバブル発生器
２３    ：循環タンク
２５，３３，１２５，１３３    ：ポンプ
２６，１２６    ：開閉弁
２８，１２８    ：水道管
３０,１３０    ：タンク
３１，１３１    ：水位センサ
３２，１３２    ：ＵＶランプ
【図１】
0006792103.tif 000002
【図２】
0006792103.tif 000003
【図３】
0006792103.tif 000004